(57)【要約】【課題】  上部ベッドの高さ調整を容易かつ高精度で行うことが可能な、上部ベッドを備える横編機を提供する。【解決手段】  調整部材２５は、上部ベッド３４の下面に設ける蟻溝２４ａに装着され、台形断面の短辺側２５ａが上部ベッド２４の下面からニードルベッド２２側の上部ベッド支持面２７ｂの側に突出する。調整部材２５の突出部分の表面である短辺側２５ａと上部ベッド支持面２７ｂとの当接で支持が行われる際に、調整部材２５の厚さで上部ベッドの高さが調整される。予め複数の異なる厚さとなる調整部材２５を用意しておくことで、容易に上部ベッド２４の高さ調整を行うことができる。【選択図】図１
2013057141.tif 000002
【特許請求の範囲】
【請求項１】
歯口を挟んで先端部を対向させ、逆Ｖ字状に配設される前後一対のニードルベッドと、
少なくとも一方のニードルベッド上方に配設される上部ベッドと、
各ニードルベッドの長手方向に一定のピッチで複数列設されて、間隙に針溝を形成し、一部に上方への延長部分としての上部ベッド支持部が歯口付近に形成され、上部ベッド支持部には、歯口に近い位置の上部ベッド支持面、または歯口から遠い位置の透孔、のうちの少なくとも一方が形成されるニードルプレートと、
軸線方向がニードルベッドの長手方向に平行となるように、上部ベッド支持部の透孔を貫通し、上部ベッドを軸線まわりの回動が可能な状態で支持するシャフトとを有し、
上部ベッドは、シャフトの軸線まわりに回動してニードルベッドとの間を閉じる状態で、歯口付近の下面を上部ベッド支持部の上部ベッド支持面に当接させて支持される、上部ベッドを備える横編機において、
帯状の形状を有し、ニードルプレートの上部ベッド支持面での上部ベッドの支持部分に設けられ、ニードルプレートの上部ベッド支持面、または上部ベッドの下面のうちのいずれか一方の表面に、ニードルベッドの長手方向と平行に装着され、他方の表面に当接する調整部材を含み、
該一方の表面には、開口部分の溝幅よりも奥での溝幅が大きくなる蟻溝がニードルベッドの長手方向と平行に形成されており、
調整部材は、蟻溝に嵌合する台形の断面形状を有し、蟻溝への嵌合時に、台形断面の短辺側が該一方の表面から該他方の表面の側に突出し、
突出部分の表面と該他方の表面との当接で支持が行われる際に、調整部材の厚さで上部ベッドの高さが調整される、
ことを特徴とする上部ベッドを備える横編機。
【請求項２】
前記調整部材は、予め厚さを異ならせて複数用意され、位置決めに必要な厚さの調整部材が選択されて前記蟻溝に装着される、
ことを特徴とする請求項１記載の上部ベッドを備える横編機。
【請求項３】
前記調整部材は、前記長手方向で複数に分割される部分の組合せとして、前記蟻溝に装着される、
ことを特徴とする請求項１または２記載の上部ベッドを備える横編機。
【請求項４】
前記調整部材は、前記分割される部分端面が、前記長手方向に対して傾斜している、
ことを特徴とする請求項３記載の上部ベッドを備える横編機。
【発明の詳細な説明】
【技術分野】
【０００１】
本発明は、歯口を挟んで逆Ｖ字状に対向する前後一対のニードルベッドの上方にも上部ベッドを備える横編機に関する。
【背景技術】
【０００２】
従来から、横編機では、ニードルベッドとともに、さらに上部ベッドを設けて、ループプレッサーやトランスファージャックを使用するベッドとして利用している（たとえば、特許文献１参照）。このような、上部ベッド支持構造には、構成要素の材料として、金属が用いられる。
【０００３】
図４に示す横編機１は、ニードルベッド２を、歯口３を挟む前後の両側に備えているけれども、図では一方のみ示し、左方となる他方は省略している。ニードルベッド２のうちの少なくとも一方の上方には、上部ベッド４が設けられる。上部ベッド４は、軸線が紙面に垂直となるシャフト５で、ニードルベッド２に対して回動可能なように支持される。ニードルベッド２では、長手方向が紙面に垂直な板状の基板６に、複数のニードルプレート７Ａ，７Ｂ，７Ｃが一定のピッチで列設されて、間隙に針溝を形成している。針溝に収容される編針は、先端のフックに、歯口３から編糸の供給を受け、編地が編成される。ニードルベッド２は、歯口３側が高くなるような傾斜を有し、両側では逆Ｖ字状に配設されている。
【０００４】
一部のニードルプレート７Ａ，７Ｂは部分的に延長され、透孔７ａまたは上部ベッド支持面７ｂがそれぞれ形成される上部ベッド支持部７ｃ，７ｄとなる。歯口３から遠い位置の透孔７ａには、シャフト５が挿通される。上部ベッド４は、シャフト５が挿通する支持ブロック８にボルト９で固定される。ニードルベッド２の歯口３側には、シンカー１０が取付けられる。シンカー１０の先端付近に設ける透孔には、ワイヤ１１が挿通されて、上部ベッド４の高さの基準としても機能する。
【０００５】
図４（ａ）に示す編成時の状態で、上部ベッド４は、下面４ａを上部ベッド支持面７ｂに当接させて、ニードルベッド２との間を閉じている。図４（ｂ）に示す上部ベッド４が回動してニードルベッド２との間を開いた状態では、ニードルベッド２の掃除などのメンテナンスや、針溝に収容される編針の交換などの作業を、容易に行うことができる。
【先行技術文献】
【特許文献】
【０００６】
【特許文献１】特許第３５４２２５６号公報
【発明の概要】
【発明が解決しようとする課題】
【０００７】
ニードルベッド２に収容する編針と、上部ベッド４で使用するループプレッサーやトランスファージャックが円滑な相互作用を行うためには、上部ベッド４の高さなどを、高精度に保つ必要がある。
【０００８】
このため、図４（ａ）の状態で、ワイヤ１１を基準とする上部ベッド４の高さを測定し、精度が出ていない場合は、上部ベッド４の下面４ａを研磨加工するなどの調整が必要となる。
【０００９】
本発明の目的は、上部ベッドの高さ調整を容易かつ高精度で行うことが可能な、上部ベッドを備える横編機を提供することである。
【課題を解決するための手段】
【００１０】
本発明は、歯口を挟んで先端部を対向させ、逆Ｖ字状に配設される前後一対のニードルベッドと、
少なくとも一方のニードルベッド上方に配設される上部ベッドと、
各ニードルベッドの長手方向に一定のピッチで複数列設されて、間隙に針溝を形成し、一部に上方への延長部分としての上部ベッド支持部が歯口付近に形成され、上部ベッド支持部には、歯口に近い位置の上部ベッド支持面、または歯口から遠い位置の透孔、のうちの少なくとも一方が形成されるニードルプレートと、
軸線方向がニードルベッドの長手方向に平行となるように、上部ベッド支持部の透孔を貫通し、上部ベッドを軸線まわりの回動、および軸線方向のラッキングが可能な状態で支持するシャフトとを有し、
上部ベッドは、シャフトの軸線まわりに回動してニードルベッドとの間を閉じる状態で、歯口付近の下面を上部ベッド支持部の上部ベッド支持面に当接させて支持される、上部ベッドを備える横編機において、
帯状の形状を有し、ニードルプレートの上部ベッド支持面での上部ベッドの支持部分に設けられ、ニードルプレートの上部ベッド支持面、または上部ベッドの下面のうちのいずれか一方の表面に、ニードルベッドの長手方向と平行に装着され、他方の表面に当接する調整部材を含み、
該一方の表面には、開口部分の溝幅よりも奥での溝幅が大きくなる蟻溝がニードルベッドの長手方向と平行に形成されており、
調整部材は、蟻溝に嵌合する台形の断面形状を有し、蟻溝への嵌合時に、台形断面の短辺側が該一方の表面から該他方の表面の側に突出し、
突出部分の表面と該他方の表面との当接で支持が行われる際に、調整部材の厚さで上部ベッドの位置決めが行われる、
ことを特徴とする上部ベッドを備える横編機である。
【００１１】
また本発明で、前記調整部材は、予め厚さを異ならせて複数用意され、位置決めに必要な厚さの調整部材が選択されて前記蟻溝に装着される、
ことを特徴とする。
【００１２】
また本発明で、前記調整部材は、前記長手方向で複数に分割される部分の組合せとして、前記蟻溝に装着される、
ことを特徴とする。
【００１３】
また本発明で、前記調整部材は、前記分割される部分の端面が、前記長手方向に対して傾斜している、
ことを特徴とする。
【発明の効果】
【００１４】
本発明によれば、ニードルベッドに対し上部ベッドを、ニードルプレートの一部の延長部分である上部ベッド支持部で、歯口から遠い位置に設ける透孔に、挿通されて支持されるシャフトで回動可能に支持する。上部ベッドは、さらに、ニードルベッド支持部の歯口から近い位置の上部ベッド支持面で、上部ベッドの下面との間に、帯状の調整部材を介在させて支持するので、上部ベッドの高さは、調整部材の厚さで調整することができる。調整部材は、上部ベッドの下面、またはニードルプレートの上部ベッド支持面のいずれか一方に設ける蟻溝に装着されるので、上部ベッドをニードルベッドから取外さなくても、蟻溝から容易に取外すことができる。調整部材の交換や追加工後に蟻溝に再装着すれば、高精度かつ容易に上部ベッドの高さを調整することができる。
【００１５】
また本発明によれば、調整部材の交換で、上部ベッドの高さ調整を容易かつ短時間で行うことができる。
【００１６】
また本発明によれば、調整部材は長手方向で複数に分割されるので、長手方向で上部ベッドの高さに変動があっても、異なる厚さの部分を組合せて、容易に調整を行うことができる。
【００１７】
また本発明によれば、調整部材は、分割される部分の端面が長手方向に対して傾斜しているので、隣接する部分の厚さが異なっていても、ニードルベッドに対して上部ベッドを相対的に長手方向に移動させるラッキング時などで、部分間の継目を越えても引っ掛からないようにすることができる。
【図面の簡単な説明】
【００１８】
【図１】図１は、本発明の一実施例としての上部ベッド２４を備える横編機２１の基本的な構成を示す、簡略化した側面断面図である。
【図２】図２は、図１のニードルプレート２７Ａ，２７Ｂ，２７Ｃの先端部分の形状を示す、簡略化した正面図である。
【図３】図３は、図１の調整部材２５の構成を示す、簡略化した平面図である。
【図４】図４は、従来からの上部ベッド４を備える横編機１の基本的な構成を示す、簡略化した側面断面図である。
【発明を実施するための形態】
【００１９】
以下、図１〜図３で本発明の一実施例の構成を説明する。重複する説明を省略するため、本実施例で、図４に対応する部分には同一の参照符を付して示し、各図の説明では、当該図面には存在せずに先に説明する図には存在する符号を用いて説明したり、先に説明する図に示す部分と対応する部分には同一の参照符を付して示す場合がある。
【実施例】
【００２０】
図１は、本発明の一実施例として上部ベッド２４を備える横編機２１の構成を、上部ベッド２４がニードルベッド２２に対し、（ａ）では閉じている状態、（ｂ）では開いている状態として、それぞれ示す。ニードルベッド２２に対する上部ベッド２４の支持は、歯口３から遠い方の位置では、ニードルベッド２２側に設ける透孔２７ａに挿通されるシャフト５で行われ、歯口３から近い方の位置では、調整部材２５を介在させて行われる。
【００２１】
調整部材２５は、帯状の形状で、上部ベッド２４の下面に設ける蟻溝２４ａに装着される。蟻溝２４ａは、下面側への開口部分の溝幅よりも奥での溝幅が大きくなるような断面形状で、紙面に垂直な長手方向に平行に形成される。調整部材２５は、蟻溝２４ａに嵌合する台形の断面形状を有し、蟻溝２４ａへの嵌合時に、台形断面の短辺側２５ａが上部ベッド２４の下面からニードルベッド２２側の上部ベッド支持面２７ｂの側に突出する。調整部材２５の突出部分の表面である短辺側２５ａと上部ベッド支持面２７ｂとの当接で支持が行われる際に、調整部材２５の厚さで上部ベッドの高さが決定される。
【００２２】
本実施例では、予め複数の異なる厚さとなる調整部材２５を用意しておく。まず、上部ベッド２４を、シャフト５を介してニードルベッド２２に取付けた状態で、一つの厚さの調整部材２５を蟻溝２４ａに装着して上部ベッド２４の高さを測定する。測定結果が基準の範囲内に入れば、調整は不要となる。測定結果が基準の範囲内に入らない場合、測定結果に応じて上部ベッド２４の高さが基準の範囲内に入る厚さの調整部材２５に交換すれば、容易に上部ベッド２４の高さを調整することができる。厚さが不足するような場合は、不足する厚さに対応する調整部材を追加して調整することもできる。厚さが過剰となるような場合は、調整部材２５を研磨して、調整を行うようにすることもできる。
なお、ニードルベッド２２には、図４のニードルプレート７Ａ，７Ｂ，７Ｃと同様に、三種類のニードルプレート２７Ａ，２７Ｂ，２７Ｃを列設する。三種類のうちの一部のニードルプレート２７Ａ，２７Ｂには、透孔２７ａおよび上部ベッド支持面２７ｂを、上部ベッド支持部２７ｃ，２７ｄにそれぞれ設ける。
【００２３】
図２は、（ａ），（ｂ），（ｃ）で、三種類のニードルプレート２７Ａ，２７Ｂ，２７Ｃの形状をそれぞれ示す。ニードルプレート２７Ａの上部ベッド支持部２７ｃには透孔２７ａが形成されるので、上部ベッド２４側に突出し、支持ブロック８やボルト９などと干渉するおそれがある。したがって、ニードルプレート２７Ａは、ニードルベッド２２の長手方向に間隔をあけて配置され、ニードルプレート２７Ａ間には、ニードルプレート２７Ｂまたはニードルプレート２７Ｃが配置される。ニードルプレート２７Ｂには、上部ベッド支持部２７ｄとして、上部ベッド支持面２７ｂが先端付近に設けられる。上部ベッド支持面２７ｂは、他のニードルプレート２７Ａ，２７Ｃの先端付近の対応部分よりも、歯口３側に突出し、図１（ａ）の状態で、調整部材２５の短辺側２５ａに当接する。
【００２４】
なお、上部ベッド支持部２７ｃとして、透孔２７ａおよび上部ベッド支持面２７ｂは、異なるニードルプレート２７Ａ，２７Ｂの上部ベッド支持部２７ｃ，２７ｄに片方ずつ分けて設けているけれども、同一のニードルプレートに両方設けるようにしてもよい。
【００２５】
図３は、調整部材２５の構成を示す平面図である。調整部材２５は、（ａ）に示すように、一本の連続した帯の状態で使用することができる。帯の状態では、長手方向の端面２５ｂは、中心線２５ｃに対して垂直になる。しかしながら、調整部材２５の長さは、ニードルベッド２２の長手方向の長さに対応させる必要があり、この長さは、１〜３ｍ程度に達する。このような長さに対して、上部ベッド２４の高さは均一ではなく、変動する場合がある。このため、本実施例の調整部材２５は、（ｂ）に示すように、複数の部分２５Ａ，２５Ｂ，２５Ｃ，２５Ｄに分割しておき、組合せて使用する。各部分２５Ａ，２５Ｂ，２５Ｃ，２５Ｄを同形にしておき、予め厚さが異なるものを複数用意しておけば、上部ベッド２４の高さが長手方向で変動しても、部分２５Ａ，２５Ｂ，２５Ｃ，２５Ｄを組合せて、変動を抑えるような調整を行うことができる。なお、調整部材２５の分割数は、適宜選択すればよい。
【００２６】
調整部材２５を複数の部分２５Ａ，２５Ｂ，２５Ｃ，２５Ｄに分ける場合、長手方向の端面２５ｄが、長手方向に平行な中心線２５ｃ対して傾斜するようにしておく。調整部材２５は、隣接する部分２５Ａ，２５Ｂ，２５Ｃ，２５Ｄの厚さが異なっていても、端面２５ｄが傾斜しているので、ニードルベッド２２に対する上部ベッド２４のラッキング時などでも、部分２５Ａ，２５Ｂ，２５Ｃ，２５Ｄ間の継目を越えても引っ掛からないようにすることができる。
【００２７】
以上で説明した実施例では、調整部材２５を装着する蟻溝２４ａを上部ベッド２４に設けているけれども、ニードルベッド２２側の上部ベッド支持面２７ｂに設けることもできる。また、上部ベッド支持面２７ｂは、間隔をあけて列設されるニードルプレート２７Ｂの先端部に形成されるので、板状や帯状の部材を支持し、その部材に蟻溝を形成して調整部材２５を支持するようにすることもできる。
【００２８】
また、上部ベッド２４は、特許文献１と同様に、前後のニードルベッド２２の上方に設けて、ループプレッサーおよびトランスファージャックをそれぞれ使用することができるけれども、いずれか一方のみでもよい。さらに、上部ベッド２４として、編針を使用するためのニードルベッドを配設することもできる。
【符号の説明】
【００２９】
３  歯口
５  シャフト
２１  横編機
２２  ニードルプレート
２４  上部ベッド
２４ａ  蟻溝
２５  調整部材
２７Ａ，２７Ｂ，２７Ｃ  ニードルプレート
２７ａ  透孔
２７ｂ  上部ベッド支持面
２７ｃ，２７ｄ  上部ベッド支持部
【図１】
2013057141.tif 000003
【図２】
2013057141.tif 000004
【図３】
2013057141.tif 000005
【図４】
2013057141.tif 000006